(57)【要約】【課題】給紙トレイ上に積載されたシートがサイド規制板に規制できない混載シートであっても、シートのスキューを確実に補正することのできる給紙装置を提供することを目的とする。【解決手段】中央を基準としてセットされた最大原稿の片側端部を基準として他原稿をセットする混載モード時のレジストループ量を同一サイズをセットした通常モード時のレジストループ量よりも所定量大きくするように制御したので、混載モード時においても確実に原稿スキューを補正でき、ジャム等の搬送不良を低減できる。【選択図】　図７
2004106995.tif 000002
【特許請求の範囲】
【請求項１】
シートを積載する給紙トレイと、この給紙トレイ上に積載されたシートを分離して給紙する給紙手段と、前記給紙手段で給送されるシートの先端を予め定められた突き当て量を突き当てることによってシートの先端を整合するレジスト手段と、を備えたシート給紙装置において、
前記給紙トレイ上に積載された異なる幅のシートを給紙するための混載モード信号を受信する受信手段と、前記受信手段が前記混載モード信号を受信したことによって前記レジスト手段へのシート突き当て量を前記予め定められた突き当て量よりも大きくするように前記給紙手段の駆動を制御する制御手段を備えたシート給紙装置。
【請求項２】
前記給紙手段と前記レジスト手段との間に前記給紙手段にて給紙されるシートを検出する検出手段を備え、前記制御手段は、前記検出手段にてシートの先端が検出された時点からの前記給紙手段の予め設定された駆動時間だけ駆動させることによって前記レジスト手段にシート先端を一定量突き当てて整合することを特徴とする請求項１に記載のシート給紙装置。
【請求項３】
前記制御手段は、前記混載モード信号を受信したことによって前記検出手段にてシートの先端が検出された時点から前記給紙手段の駆動時間を予め設定された駆動時間よりも長く設定することを特徴とする請求項２に記載のシート給紙装置。
【請求項４】
前記制御手段は、前記混載モード信号を受信したことによって前記検出手段にてシートの先端が検出された時点から予め設定された時間に所定時間を加算した時間が経過した後に前記給紙手段の駆動を停止させるように制御することを特徴とする請求項２に記載のシート給紙装置。
【請求項５】
前記検出手段にてシートの先端が検出された時点からの前記給紙手段の駆動時間は、前記給紙手段を駆動するための駆動手段の駆動パルスに基づいて計測されることを特徴とする請求項１に記載のシート給紙装置。
【請求項６】
前記受信手段は、外部機器に設けられた選択手段にて混載モードが選択された場合に発生される混載モード信号を受信することを特徴とする請求項１に記載のシート給紙装置。
【請求項７】
前記給紙手段は、給紙トレイ上からシートを繰り出す繰り出しローラと、この繰り出しローラから繰り出されたシートを１枚に分離して送る給紙ローラ及び分離部材を有し、前記繰出ローラ、前記給紙ローラ及び前記分離部材はシートの幅方向の略中央に配置されたことを特徴とする請求項１に記載のシート給紙装置。
【請求項８】
前記給紙トレイ上のシートを中央を基準としてシートの両端を規制する一対のサイド規制部材を設けたことを特徴とする請求項１〜７のいずれか１つに記載のシート給紙装置。
【請求項９】
シートを積載する給紙トレイと、前記給紙トレイ上に積載されたシートを分離して給紙する給紙手段と、前記給紙手段で給送されるシートの先端が所定量突き当たることによってシートの先端を整合するレジスト手段と、を備えたシート給紙装置において、
前記レジスト手段への突き当て量の調整値を入力する入力手段からの調整データ信号に基づき前記レジスト手段への突き当て量を変更する変更手段と、前記変更手段にて変更された突き当て量に基づいて前記給紙手段の駆動を制御する制御手段と、前記給紙トレイ上に積載された異なる幅のシートを給紙するための混載モードを選択する選択手段からの混載モード信号を受信する受信手段と、を備え、
前記制御手段は、前記混載モード信号を受信したことによって前記レジスト手段へのシート突き当て量を前記変更手段で変更された突き当て量よりも大きくするように前記給紙手段の駆動を制御することを特徴とするシート給紙装置。
【発明の詳細な説明】
【０００１】
【発明の属する技術分野】
本発明は、シートを所定の位置に給紙するシート給紙装置に関し、詳しくは、給紙されるシートの先端を突き当ててシートの先端をレジストし、スキューを補正するレジスト手段に関する。
【０００２】
【従来の技術】
従来、シート給紙装置においては、給紙トレイ上のシートを繰り出しローラにて繰り出し、給紙ローラと分離部材からなる分離手段によって１枚に分離してレジストローラ対に送るように構成されている。
そして、給紙ローラでレジストローラ対に送られるシートを停止されたレジストローラ対のニップ部に所定量突き当ててループを形成させることによって、シートのスキューを補正している。
【０００３】
このスキューを補正する際のレジストローラ対へのシートの突き当て量は、給紙トレイ上に同一サイズのシートを積載して給紙される場合に対応した予め定めた一定値としている（例えば、特許文献１参照。）。
【０００４】
【特許文献１】
特開２０００−２０３７２９号公報
【発明が解決しようとする課題】
しかしながら、同一サイズを給紙する場合は、給紙トレイ上のサイド規制板によってシートの幅方向の両端が規制された状態でシートが給紙されるためシートの幅方向のスキューがある程度抑えられてスキュー量のバラツキも小さいが、シートサイズの異なる混載シートを積載して給紙する場合は、最大幅のシート以外のシートはサイド規制板で規制することができないため、同一サイズのシートを給紙する場合に比べてスキュー量のバラツキが大きくなり、シートサイズによってはシートのスキューを十分に補正できないとの問題があった。
【０００５】
特に、シートの幅方向の中央を基準としてシートを積載する給紙装置においては、繰り出しローラ、給紙ローラをシート幅方向中央に配置しているため、混載シートを積載した場合に、最大幅シート以外のシートは幅方向の偏った位置に繰り出しローラ、給紙ローラが当接して給紙されることとなるので、スキューの発生頻度も多くなり、またスキュー量も大きくなる。これによって、シートの搬送異常やシートの損傷を生じ、重大な問題となっていた。
【０００６】
本発明は、上記問題点に鑑みてなされたものであって、給紙トレイ上に積載されたシートがサイド規制板に規制できない混載シートであっても、シートのスキューを確実に補正することのできる給紙装置を提供することを目的とする。
【０００７】
【課題を解決するための手段】
上記目的を達成するため、請求項１に係る発明は、給紙トレイ上の異なる幅のシートを給紙するための混載モード信号を受信する受信手段と、混載モード信号を受信したことによってレジスト手段へのシート突き当て量を予め定められた突き当て量よりも大きくするように給紙手段の駆動を制御する制御手段を備えた。これによって、サイド規制板に規制できないシートが給紙トレイ上に混載された場合であっても、シートのスキューを確実に補正することができる。
【０００８】
また、請求項８に係る発明は、レジスト手段への突き当て量を調整値を入力する入力手段からの調整データ信号に基づき前記レジスト手段への突き当て量を変更する変更手段と、変更手段にて変更された突き当て量に基づいて給紙手段を駆動を制御する制御手段と、給紙トレイ上の異なる幅のシートを給紙するための混載モードを選択する選択手段からの混載モード信号を受信する受信手段と、を備え、制御手段は混載モード信号を受信したことによってレジスト手段へのシート突き当て量を変更手段で変更された突き当て量よりも大きくするように給紙手段の駆動を制御する。
【０００９】
これによって、サイド規制板に規制できないシートが給紙トレイ上に混載された場合であっても、シートのスキューを確実に補正することができ、さらに機体によってパラツキが生じても、適切にスキュー補正が可能となる。
【発明の実施の形態】
以下、図面に基づいて本発明に係る原稿給紙装置を画像読取装置に備えられた自動原稿送り装置に適用した一例に基づき説明する。図１は、画像読取装置Ｈ及び自動原稿送り装置Ａの構造を示す断面図、図２は自動原稿送り装置Ａの給紙部１３の拡大図、図３は自動原稿送り装置Ａの反転排紙部１７の拡大図、図４は自動原稿送り装置Ａの給紙部１３の駆動系を示す図である。
【００１０】
図１に示されるように、画像読取装置Ｈはプラテンガラス１５を介してランプ等の光源１からの光をプラテンガラス上に静止した原稿に照射し、その反射光を複数のミラー２、３、４で反射させてレンズ５を介してＣＣＤ６で読み取る縮小光学系の読取手段９を備えている。
【００１１】
この読取手段９は、光源１と複数のミラー２とからなる第１キャリッジ７と、ミラー３、４からなる第２キャリッジ８を副走査方向に移動させることによってプラテンガラス１５上に静止した原稿の画像を読み取る。
【００１２】
自動原稿送り装置Ａは、原稿を載置するための給紙トレイ１２と、排紙された原稿を載置する排紙トレイ１８と、給紙トレイ１２上に載置された原稿を画像読取装置Ｈのプラテン１５に給紙するための給紙部１３と、給紙部１３から原稿を受け取り、これをプラテン１５上の所定の位置に搬送して静止するための搬送部１６と、プラテン１４からの原稿を受け、表裏を反転して再度プラテン１５上に給紙するか、または排紙トレイ１８に画像読取後の原稿を排紙する反転排紙部１７と、を備えている。
【００１３】
給紙トレイ１２は、原稿給紙方向に向かって下方に傾斜する平板状の部材で構成され、左右両側には原稿の幅方向を規制する一対の規制板１４ａ、１４ｂが左右へのスライド可能に設けられている。
【００１４】
そして、同一サイズの原稿を給紙トレイ１２上にセットする通常モードの場合は、図８（ａ）に示すように原稿の幅方向の中央を基準（センター基準方式）にセットし、異なるサイズの混載原稿を給紙トレイ上にセットする混載モードの場合は、図８（ｂ）に示すように最大サイズの原稿を中央を基準にセットした状態で他のサイズの原稿は、中央を基準にセットされた最大原稿の片側を基準にセットされる。つまり、混載原稿内における最大サイズの原稿によって他のセット基準が異なる。
【００１５】
このような、混載原稿のセット方法は、最大サイズの原稿の片側に揃えて給紙トレイ上にセットすればよいので、混載原稿のセットが煩わしくなくなり、原稿の取り扱いが容易になるが、一方で図８（ｂ）に示すように最大幅シート以外のシートは幅方向の偏った位置に繰り出しローラが当接するため、スキューが発生し易いとの問題がある。
【００１６】
自動原稿送り装置Ａの給紙部１３は、図１、図２に示すように給紙カバー２３と、前記給紙トレイ１２上に載置された原稿を繰り出す繰出しローラ２４と、原稿を給紙する給紙ローラ２７と、給紙ローラ２７に圧接して２枚以上の原稿の給紙を阻止する分離ローラ２５と、原稿の給紙を案内する給紙ガイド２６ａ，２６ｂと、給紙された原稿の先端を突き当てて原稿のスキューを取り除くレジスト手段としてのレジストローラ対２８とで構成されている。
【００１７】
そして、レジストローラ対はレジストローラ２８ａとレジストピンチローラ２８ｂで構成されており、繰出しローラ２４、給紙ローラ２７は原稿の幅方向の略中央に配置され、レジストローラ対２８は原稿の幅の方向に所定間隔隔てて複数配置されている。さらに、レジストローラ２８ａの前後には原稿の先端を検出するレジストセンサＳ１と原稿の給紙を制御するタイミングセンサＳ２が配置される。
【００１８】
ここで、図３に基づき給紙部１３の駆動系について説明すると、給紙部１３の上述した各ローラは逆転可能な給紙モータＭＴ１によって駆動されるように構成されている。
【００１９】
給紙モータＭＴ１の駆動は、タイミングベルトＴ１によってプーリＰ２及びプーリＰ３に伝達される。プーリＰ２に伝達された駆動は、ワンウエイクラッチＯＷ１によって給紙モータＭＴ１の正回転駆動のみが複数のギヤＺ１、Ｚ２、Ｚ３に伝達されて給紙ローラ２７が回転する。さらに、給紙ローラ２７に伝達された駆動はタイミングベルトＴ２によってプーリＰ４からプーリＰ５に伝達されて繰り出しローラ２４も回転する。
【００２０】
一方、プーリＰ３に伝達された駆動はワンウエイクラッチＯＷ２によって、給紙モータＭＴ１の逆回転駆動のみがギヤＺ４を介してギヤＺ５、ギヤＺ６に伝達されレジストローラ２８ａとレジストピンチローラ２８ｂが回転する。
【００２１】
また、この実施形態ではレジストローラ２８ａの支軸３３の他端部に設けたギヤＺ７に歯合されたブレーキ手段としての電磁クラッチ３７が設けられている。この電磁クラッチ３７は、レジストローラ２８ａの回転を停止し電磁クラッチ３７を作動させることで支軸３３の回転を完全にロックすることができる。この電磁クラッチ３７の作動によって、レジストローラ２８ａは勿論のこと、前記ギヤＺ５，Ｚ６によって両方の支軸３３，３６が連結されているために、レジストピンチローラ２８ｂの回転も確実にロックされることになる。
【００２２】
搬送部１６は、図１に示すようにプラテン１５の上流側に配置された駆動ローラ５０と、同じく下流側に配置された従動ローラ５１と、その間に張設された搬送ベルト５２とを備え、駆動ローラ５０が搬送モータＭＴ２によって駆動されている。また、原稿をプラテン１５に正確に搬送し、精緻な画像読み取りを行うために複数の押圧ローラ５３が配設されている。
【００２３】
さらに、図１、図３に示すように反転排紙部１７は、プラテン１５上から排紙される原稿を案内する排紙ガイド４０と、原稿を排紙トレイ１８に搬送する一対の排紙ローラ４１、４２と、排紙する原稿の端を検出する排紙センサＳ３及び反転センサＳ４と、原稿を反転させる反転ローラ４３と、原稿の排紙経路を切り換える排紙フラッパ４４と、原稿の反転経路を切り換える反転フラッパ４５と、原稿を反転ローラ４３に押圧するピンチローラ４６ａ、４６ｂ等で構成され、これら全体が排紙カバー４７によって保護されている。　排紙ローラ４１及び反転ローラ４３は、排紙モータＭＴ３によって駆動されるように構成されている。
【００２４】
なお、４８は下方に自重によって垂下される自重フラッパであり、通過する原稿の先端によって上方に回動するように構成されている。また、排紙ローラ４１は排紙モータＭＴ３の正転、逆転に関係なく一方向に回転するように駆動系が構成されている。
【００２５】
上記のように構成された自動原稿送り装置Ａは、図５のブロック図に示すように画像読取装置本体Ｈの操作部１０で入力された片面モード、両面モード、混載モード等の各種モードの信号を受けて、そのモード信号に応じて原稿送り制御が実行される。
【００２６】
各センサＳ１〜Ｓ５は、原稿の搬送を制御するためのＣＰＵ等を含む制御手段としての制御部６０に接続されており、各センサからの出力信号に基づいて上述した各モータ及び各フラッパを駆動する各ソレイドＳＯＬ１、ＳＯＬ２等が制御され、各モードに応じて原稿の送り動作が実行される。
【００２７】
なお、本実施例では、各モードを入力する操作部１０を画像読取装置本体に設けたが、自動原稿送り装置に設けてもよく、また画像形成装置やパソコン等の画像読取装置本体や自動原稿送り装置以外の機器に設けてもよい。
【００２８】
次に、上述の構成からなる自動原稿送り装置Ａの原稿の給紙、搬送、排紙の動作について説明する。
【００２９】
先ず、給紙動作について図６のフローチャートに基づき説明する。
【００３０】
エンプティセンサＳ５が原稿を検出し（ＳＴ１）、画像読取装置本体Ｈから給紙信号を受信する（ＳＴ２）と、給紙モータＭＴ１が正回転する。これにより繰出しローラ２４と給紙ローラ２７が駆動（ＳＴ３）し、図２の矢印ａに示すように原稿が繰出しローラ２４によって繰り出され、給紙ローラ２７と分離ローラ２５によって１枚に分離されて給紙される。
【００３１】
給紙された原稿の先端がレジストセンサＳ１によって検出される（ＳＴ４）と電磁クラッチ３７が作動する（ＳＴ５）。さらに制御部６０においてレジストループ量のセット処理が実行される（ＳＴ６）。そして、セットされたレジストループ量に応じたレジスト駆動パルスだけ、給紙モータＭＴ１を駆動し（ＳＴ７）、停止させる（ＳＴ８）。これによって、原稿の先端をレジストローラ２８ａとレジストピンチローラ２８ｂとが圧接する部位（ニップ点２９）に突き当ててループを形成し、原稿の先端を整合してスキューを除去する。
【００３２】
レジストループ量のセット処理は、後に詳細に説明するが、図７のフローチャート図に示すように、画像読取装置本体Ｈから混載モード信号が受信されているか否かを確認し（ＳＴ２０）、混載モード信号を受信していたならば、デフォルト駆動パルス値Ａに所定のパルス値Ｂを加算した値をレジスト駆動パルス値としてセットする（ＳＴ２１）。また、混載モード信号を受信していなければ、通常モードと認識し、通常のデフォルト駆動パルス値Ａをレジスト駆動パルス値としてセットする（ＳＴ２２）。
【００３３】
なお、ここでは原稿が給紙される際に電磁クラッチ３７が作動させ、レジストローラ２８ａ及びレジストピンチローラ２８ｂをロックさせることで、原稿の先端によってレジストローラ２８ａ及びレジストピンチローラ２８ｂが回転することを防止し、原稿のスキューを確実に取り除くようにしている。
【００３４】
このようにして、レジスト処理が確実に行なわれ、給紙モータＭＴ１を停止させてから所定時間後に電磁クラッチ３７が解除され（ＳＴ９）、その後に給紙モータＭＴ１が逆転駆動する（ＳＴ１０）とレジストローラ２８ａが回転し、図３の矢印ｂに示すように原稿がプラテン１５上に供給される。そして、原稿の後端をタイミングセンサＳ２が検出した（ＳＴ１１）後に、給紙モータＭＴ１を停止させ、給紙動作を完了する。
【００３５】
次に、搬送動作では、先に説明した給紙モータＭＴ１の逆転駆動と同時に搬送モータＭＴ２を正転駆動して搬送ベルト５２を回転させ、レジストローラ対２８から送られてきた原稿をプラテン１５に沿って搬送させる。そして、原稿の後端をタイミングセンサＳ２が検出した後に、原稿を所定量搬送させて搬送モータＭＴ２を停止させる。これにより、レジストローラ２８ａ及び搬送ベルト５２が停止し、原稿はプラテン１５上の所定の位置に静止され、画像読取装置１４の読取手段９によって原稿の一方面（表面）の画像が読み取られることになる。
【００３６】
原稿の一方面（表面）の読み取りが終了すると搬送モータＭＴ３を再度正転駆動し、同時に排紙モータＭＴ２も正転させる。これにより、搬送ベルト１５は正回転駆動し、反転ローラ４３も正回転駆動され、原稿がプラテン１５上から搬出される。
【００３７】
そして、排紙動作が実行されるが、原稿の片面のみを読み取る片面モードと原稿の両面を読み取る両面読取モードでは以降の原稿送りが異なる。
【００３８】
片面モードである場合は、プラテン１５上から搬出された原稿は、図４に示す矢印ｃ、ｄに示すように排紙フラッパ４４、及び反転フラッパ４５によってスイッチバック経路１９に導かれ、原稿の後端が排紙センサＳ４に検出されてから所定量搬送して排紙モータＭＴ３を停止して反転ローラ５５を一旦停止する。このとき、原稿の後端は自重フラッパ４８を過ぎた位置で反転ローラ４３とピンチローラ５６ｂにニップされて停止した状態となる。その後、反転ローラ４３とピンチローラ５６ｂにニップされて停止された原稿は、排紙モータＭＴ３を逆転させることにより反転ローラが逆転しる。これによって、原稿はスイッチバックされ、図３の矢印ｆに示すように排紙ローラ対４１、４２に送られる。そして、排紙ローラ対４１、４２にて排紙トレイ１８に排紙される。
【００３９】
以降、次の原稿についても先の原稿と同様な排紙動作が実行され、また３枚目、４枚目の原稿が給紙トレイ１２にある場合は、同様な給紙、搬送、排紙動作が実行される。
【００４０】
次に、両面読取モードの場合は、プラテン１５上から搬出された原稿は反転センサＳ４で先端を検出された後に所定量搬送することによって排紙フラッパ４４、自重フラッパ４８を通過して反転ローラ５５とピンチローラ５６ｂに原稿の先端がニップした位置で搬送モータＭＴ２及び排紙モータＭＴ３を一旦停止し、原稿を停止させる。そして、反転フラッパ４５を再びプラテン１５に案内する方向に切り換えると同時に搬送モータＭＴ２を逆転し、排紙モータＭＴ３を再度正転させる。これにより、原稿は図３の矢印ｇに示すように表裏を反転して再びプラテン１５上に給紙され、プラテン１５上の所定の位置に搬送され、静止される。
【００４１】
プラテン１５上の所定の位置に搬送されて停止された原稿は、その裏面が読取手段９によって読み取られ、読み取りが終了すると搬送モータＭＴ２を正転駆動し、同時に排紙モータＭＴ３も正転する。これにより、搬送ベルト５２は正回転駆動し、反転ローラ４３も正回転駆動され、原稿がプラテン１５上から再び搬出される。
【００４２】
プラテン１５上から搬出された原稿の先端を反転センサＳ４が検出すると排紙フラッパ４４は、原稿を直接排紙ローラ対４１、４２に案内する位置に切り換え、これによって、図３の矢印ｃに示すように原稿は排紙ローラ対４１、４２に送られる。そして、排紙ローラ対４１、４２よって排紙トレイ１８に排紙される。
【００４３】
以降、次の原稿についても先の原稿と同様な排紙動作が実行され、また３枚目、４枚目の原稿が給紙トレイ１２にある場合は、同様な給紙、搬送、排紙動作が実行される。
【００４４】
ここで、上記した給紙動作におけるレジストループ量のセット処理について詳細に説明する。
【００４５】
このレジストループ量セット処理では、図７のフローチャート図に示すように画像読取装置本体Ｈの操作パネル１０上で選択された混載モード信号を受信したか否かによってレジストループ量を設定する。このレジストループ量は給紙モータＭＴ１の駆動パルス値によって決定される。つまり、レジストセンサＳ１が原稿の先端を検出した時点より設定された駆動パルス数だけ給紙モータを駆動して停止させることにより原稿がレジストローラ対２８に突き当たって形成されるレジストループ量を制御できる。
【００４６】
画像読取装置本体Ｈから混載モード信号が受信されていない場合は、通常モードであると認識し、制御部６０のＲＡＭに記憶されたレジスト駆動パルスのデフォルト値Ａをレジストループ量としてセットする。そして、図９（ａ）に示すようにレジストセンサＳ１が原稿の先端を検出した時点よりデフォルトパルス値Ａだけ給紙モータＭＴ１を駆動して停止させ、図９（ｂ）ループを形成させる。
【００４７】
レジストセンサＳ１が原稿を検出した時点で画像読取装置本体Ｈから混載モード信号が受信されている場合は、制御部６０のＲＡＭに記憶されたレジスト駆動パルスのデフォルト値Ａに予め設定された所定のパルス値Ｂを加算した混載パルス値Ｘをレジストループ量としてセットする。そして、図１０（ａ）に示すようにレジストセンサＳ１が原稿の先端を検出した時点より混載パルス値Ｘだけ給紙モータＭＴ１を駆動して停止させ、図１０（ｂ）通常モード時のレジストループよりも大きいレジストループを形成させることにより確実にスキュー補正が可能となる。
【００４８】
ここで、制御部６０のＲＡＭに記憶されたレジスト駆動パルスのデフォルト値Ａは、画像読取装置Ｈの操作パネル１０上から調整可能に構成される。
【００４９】
このレジスト駆動パルスのデフォルト値Ａの調整は、画像読取装置本体Ｈの操作パネル１０上からレジスト駆動パルスのデフォルト値Ａを入力する。入力されたレジスト駆動パルスのデフォルト値は、画像読取装置本体Ｈから自動原稿送り装置Ａの制御部６０に送信され、これを受信した制御部６０ではＲＡＭに格納されているレジスト駆動パルスのデフォルト値Ａに換えて画像読取装置本体Ｈの操作パネル上から入力された新たなレジスト駆動パルスのデフォルト値Ａ´を書き込む。
【００５０】
このように、レジスト駆動パルスのデフォルト値Ａの調整することにより装置の機体差のパラツキや取り扱う原稿の種類等によって、適正に原稿の先端が整合されずに原稿スキューが除去できない場合にであっても確実に原稿スキューが除去できるようになる。
【００５１】
ここで、デフォルト値Ａの設定の仕方については、上記設定方法に限らず様々な方法がある。
【００５２】
例えば、レジストセンサからレジストローラ対までの距離Ｌ１に相当する送りパルス値Ａ１を予め制御部のＲＯＭに格納しておき、原稿先端がレジストローラのニップ部に突き当たってから原稿を送る距離Ｌ２に相当するパルス数を調整パルス値Ａ２として、操作パネル上から入力可能とする。そして、操作パネル上ではレジストローラのニップ部に突き当たってから原稿を送る距離Ｌ２を入力し、入力された距離データを画像読取装置本体から自動原稿送り装置の制御部に送信する。制御部では受信した距離データを調整パルス値Ａ２に換算し、換算された調整パルス値Ａ２を格納しておく。そして、レジストループ量処理における通常モード時に、送りパルス値Ａ１に調整パルスＡ２を加算してレジスト駆動パルスＡ（デフォルト値）としてセットする方法でもよい。
【００５３】
また、レジストループ量処理における混載モード時には、送りパルス値Ａ１に調整パルスＡ２を加算し、さらに予め設定された所定のパルス値Ｂを加算し、レジスト駆動パルスＸとしてセットする方法でもよい。
【００５４】
上記実施例において、異なるサイズの原稿を搬送する混載モード時のレジストループ量を同一サイズをセットした通常モード時のレジストループ量よりも所定量大きくするように制御したので、給紙トレイ上のサイド規制板にて規制されないサイズの原稿で混在する混載モード時において原稿の確実に原稿スキューを補正でき、さらに同一サイズの原稿を搬送する通常モードにおいても支障なく原稿スキュー補正を可能にすることができる。
【００５５】
【図面の簡単な説明】
【図１】画像読取装置及び自動原稿送り装置の構造を示す断面図である。
【図２】原稿自動送り装置の給紙部の構造を示す拡大図である。
【図３】原稿自動送り装置の反転排紙部の構造を示す拡大図である。
【図４】自動原稿送り装置の駆動系を示す図である。
【図５】画像読取装置及び自動原稿送り装置の構成を示すブロック図である。
【図６】原稿の給紙動作を示すフローチャート図である。
【図７】原稿の給紙動作におけるレジストループ量セット処理を示すフローチャート図である。
【図８】給紙トレイ上へ原稿を載置する方法を示す説明図である。
【図９】通常モード時のレジスト制御のタイミングチャート図、及びレジストループ状態を示す状態図である。
【図１０】混載モード時のレジスト制御のタイミングチャート図、及びレジストループ状態を示す状態図である。
【符号の説明】
Ａ　自動原稿送り装置
Ｈ　画像読取装置
１０　操作パネル
１２　給紙トレイ
２４　繰出しローラ
２５　分離ローラ
２７　給紙ローラ
２８　レジストローラ対
６０　制御部
ＭＴ１　給紙モータＭＴ１
Ｓ１　レジストセンサ
Ｓ５　エンプティセンサ
【図１】
2004106995.tif 000003
【図２】
2004106995.tif 000004
【図３】
2004106995.tif 000005
【図４】
2004106995.tif 000006
【図５】
2004106995.tif 000007
【図６】
2004106995.tif 000008
【図７】
2004106995.tif 000009
【図８】
2004106995.tif 000010
【図９】
2004106995.tif 000011
【図１０】
2004106995.tif 000012